(57)【要約】      （修正有）【課題】通話が録音されるか否かをユーザが正しく認識できる電話機を提供する。【解決手段】通話が記憶部５に録音されないが、警告メッセージ再生部１６が警告メッセージを再生する場合に、録音無メッセージ出力部１７は、通話は録音されないことを、通話相手には通知せずに提示する。記憶部に通話を録音せず、かつ、警告メッセージ出力部が警告メッセージを再生する場合、警告メッセージ出力部は、警告メッセージを通話相手に通知している間、電話機から出力される警告メッセージの音量を調整しミュートする。【選択図】図１
2018125739.tif 000002
【特許請求の範囲】
【請求項１】
通話を録音するための記憶部と、通話を録音する旨の警告メッセージを通話相手に通知できる警告部とを備えた電話機であって、
上記記憶部に通話を録音せず、かつ上記警告部が上記警告メッセージを通話相手に通知する場合、通話は録音されないことを、通話相手には通知せずに提示する情報提示部をさらに備えた
ことを特徴とする電話機。
【請求項２】
上記記憶部に通話を録音せず、かつ上記警告部が上記警告メッセージを再生する場合、上記警告部は、上記警告メッセージを通話相手に通知している間、上記電話機から出力される上記警告メッセージの音量をミュートに調整することを特徴とする請求項１に記載の電話機。
【請求項３】
上記警告部は、上記電話機から出力される音量をミュートに調整するとともに、上記警告メッセージを再生していることを、通話相手には通知せずに提示することを特徴とする請求項２に記載の電話機。
【請求項４】
上記警告部は、入力操作によって変更できる設定情報に基づいて、上記警告メッセージを再生するかどうかを決定することを特徴とする請求項１から３のいずれか１項に記載の電話機。
【請求項５】
通話を録音するための記憶部と、通話を録音する旨の警告メッセージを通話相手に通知できる警告部とを備えた電話機の制御方法であって、
上記記憶部に通話を録音せず、かつ上記警告部が上記警告メッセージを通話相手に通知する場合、通話は録音されないことを、通話相手には通知せずに提示することを特徴とする電話機の制御方法。
【請求項６】
請求項１に記載の電話機としてコンピュータを機能させるための制御プログラムであって、上記警告部および上記情報提示部としてコンピュータを機能させるための制御プログラム。
【発明の詳細な説明】
【技術分野】
【０００１】
本発明は、電話機、電話機の制御方法、および制御プログラムに関し、例えば、着信時に自動応答する電話機に関する。
【背景技術】
【０００２】
近年では、勧誘、セールス等の電話（迷惑電話）による詐欺被害が多発している。そこで、電話機の中には、通話内容を録音して、電話機のメモリに録音データを保存するものがある。従来の電話機は、知らない番号からの着信時、ユーザが応答操作をする前に、「通話を録音します」などの警告メッセージを自動的に再生するものがある。このメッセージを再生することにより、発信者が電話機のユーザに対する迷惑行為を躊躇するという効果が期待できる（例えば、特許文献１、２）。継続してユーザが使用することで録音データが電話機のメモリ容量いっぱいになることがあるが、メモリ容量がいっぱいになった場合、電話機は古い録音データを削除することなく、最新の録音データを保存できなくなる。この場合、電話機は録音データを保存できない状態になっても、発信者の迷惑行為をけん制し続けるために、「通話を録音します」という見せかけの警告メッセージを再生する。
【先行技術文献】
【特許文献】
【０００３】
【特許文献１】特開２００６−２７０９０８号公報（２００６年１０月  ５日公開）
【特許文献２】特開２０１１−  ６１５３９号公報（２０１１年  ３月２４日公開）
【特許文献３】特開平３    −１５９３５１号公報（１９９１年  ７月  ９日公開）
【発明の概要】
【発明が解決しようとする課題】
【０００４】
電話機が再生する「通話を録音します」という警告メッセージは、当該電話機のイヤピースまたはスピーカからも出力されるので、ユーザもその警告メッセージを聞くことが可能である。そのため、電話機は実際には録音データを保存できないにもかかわらず、ユーザは、見せかけの警告メッセージを信用して、通話が録音されると誤解する可能性がある。一解決策として、特許文献３の装置のように、電話機は録音データを保存できないことをユーザに提示してもよいが、ユーザが見せかけの警告メッセージを信用する可能性は残る。
【０００５】
本発明は、上記の課題に鑑みてなされたものである。本発明の一態様によれば、通話が録音されるか否かをユーザが正しく認識することが可能となる。
【課題を解決するための手段】
【０００６】
上記の課題を解決するために、本発明の一態様に係る電話機は、通話を録音するための記憶部と、通話を録音する旨の警告メッセージを通話相手に通知できる警告部とを備えた電話機であって、上記記憶部に通話を録音せず、かつ上記警告部が上記警告メッセージを通話相手に通知する場合、通話は録音されないことを、通話相手には通知せずに提示する情報提示部をさらに備えている。
【０００７】
上記の課題を解決するために、本発明の一態様に係る電話機の制御方法は、通話を録音するための記憶部と、通話を録音する旨の警告メッセージを通話相手に通知できる警告部とを備えた電話機の制御方法であって、上記記憶部に通話を録音せず、かつ上記警告部が上記警告メッセージを通話相手に通知する場合、通話は録音されないことを、通話相手には通知せずに提示する。
【発明の効果】
【０００８】
本発明の一態様によれば、通話が録音されるか否かをユーザが正しく認識できる。
【図面の簡単な説明】
【０００９】
【図１】実施形態１に係る電話機の構成を示すブロック図である。
【図２】実施形態1に係る電話機の外観図である。
【図３】実施形態１に係る電話機が備えた電話機制御部が実行する動作のフローチャートである。
【図４】図３に示す電話機制御部の動作中におけるディスプレイの表示画面の遷移図である。
【図５】実施形態１に係る電話機が備えた記憶部に保存されるテーブルの一例である。
【発明を実施するための形態】
【００１０】
〔実施形態１〕
以下、本発明の実施の形態について、図１〜図５を参照して詳細に説明する。
【００１１】
（電話機１の構成）
図１および２を参照して、本実施形態に係る電話機１の構成を説明する。図１は、電話機１の構成を示すブロック図である。図２は、電話機１の外観図である。
【００１２】
図２に示すように、電話機１は、本体３およびハンドセット４を備えている。本体３の表面には、入力部２およびディスプレイ７が設けられている。入力部２は、例えば、通話ボタン、終話ボタン、およびナンバーキーを含む。ハンドセット４には、スピーカ６およびイヤピース（図示せず）が設けられている。電話機１は、１つ以上の子機をさらに備えていてもよい。
【００１３】
図１に示すように、電話機１は、記憶部５、回線接続部８、および電話機制御部１０をさらに備えている。出力部２０は、前述したスピーカ６およびディスプレイ７を含む（図２参照）。記憶部５には、図５に示すテーブルが予め記憶されている。図５のテーブルについては後で説明する。回線接続部８は、電話機１を公衆電話回線網に接続する。
【００１４】
電話機制御部１０は、電話機１の動作を制御する。図１に示すように、電話機制御部１０は、設定登録部１１、着番号判定部１２、自動応答部１３、録音可否判定部１４、録音部１５、警告メッセージ再生部１６（警告部）、および録音無メッセージ出力部１７（情報提示部）を含んでいる。
【００１５】
設定登録部１１は、電話機１の入力部２からの入力操作に基づいて、電話機１を、３つの異なるモードＡ〜Ｃ（図５参照）のいずれかに設定する。設定された電話機１のモードの情報は、モード設定情報として、記憶部５に保存される。保存されたモード設定情報に応じて、電話機制御部１０が、警告メッセージを再生するかしないか、また、通話の録音データが保存される記憶部５のメモリの残容量が閾値以下である場合、通話を録音するかしないかを、保存されたモード設定情報に応じて決定する。電話機制御部１０のその他の各部が実行する処理については、図３および図４を参照して説明する。
【００１６】
（電話機制御部１０の動作）
図３および図４を参照して、着信時における電話機制御部１０の動作について説明する。図３は、電話機制御部１０の動作の流れを示すフローチャートである。図４は、未登録番号からの着信時におけるディスプレイ７に表示される画面の遷移の一例を示す図である。なお、電話機１は、着信時に、通話相手（この場合、発信者）の電話番号すなわち着番号の情報を取得することができるとする。
【００１７】
図３に示すように、着信時（Ｓ１）、まず、着番号判定部１２は、着番号が電話機１に登録されているか否かを判定する（Ｓ２）（図４のＳ１０１）。登録番号とは、ユーザが電話機１に入力した、例えばユーザの家族や友人などの安全な電話番号である。着番号が登録番号である場合（Ｓ２でＹｅｓ）、電話機制御部１０の動作は自動応答部１３を起動せず通常の着信動作を処理する。
【００１８】
一方、着番号が登録番号ではない場合（Ｓ２でＮｏ）、つまり、着番号が未登録番号である場合、自動応答部１３は、発信者に名前を尋ねるか、それとも着信への応答を拒否するかを、ユーザに選択させる。自動応答部１３は、図４のＳ１０２に示す表示画面をディスプレイ７に表示する。ユーザが、ナンバーキーの「０」を押下した場合、自動応答部１３は、「着信に応答することができません。」等の着信拒否メッセージを発信者に送信して、電話回線を切断する（図４のＳ１０５）。
【００１９】
一方、ユーザが、ナンバーキーの「１」を押下した場合、自動応答部１３は発信者に名前を尋ねる（図４のＳ１０３−１）。例えば、自動応答部１３は、「ただいまお名前確認制御を行っています。恐れ入りますが、あなたの名前を仰って下さい。」等の名前確認メッセージを、回線接続部８を介して、電話回線に送出する。続いて、自動応答部１３は、図４のＳ１０３−１に示す表示画面と、図４のＳ１０３−２に示す表示画面とを交互に、ディスプレイ７に表示する。ユーザがナンバーキーの「１」を押下した場合、自動応答部１３は発信者に再び名前を尋ねる（図４のＳ１０３−１）。一方、ユーザがナンバーキーの「０」を押下した場合、自動応答部１３は、「着信に応答することができません。」等の着信拒否メッセージを電話回線に送出してから、電話回線を切断する（図４のＳ１０５）。
【００２０】
自動応答部１３が自動応答を開始した後（Ｓ３）、あるいはそれ以前に、ユーザがオフフック（応答操作）を行った場合、録音可否判定部１４は、記憶部５のメモリ（録音データを保存するために確保された記憶領域）の残容量に基づいて、通話を録音するかどうかを判定する（Ｓ４）。具体的には、記憶部５のメモリの残容量が、閾値以下である（すなわち録音データをさらに保存するためには小さすぎる）場合、録音可否判定部１４は、通話を録音しないことを決定する（Ｓ４でＮｏ）。一方、記憶部５のメモリの残容量が、閾値を超える（すなわち録音データを保存するために十分である）場合、録音可否判定部１４は、電話機１のモード設定情報を参照するとともに、記憶部５に保存されている図５のテーブルを参照して、通話を録音するかどうかを決定する。
【００２１】
録音可否判定部１４は、前述した、電話機１のモード設定情報を参照する。電話機１がモードＡ〜Ｃのいずれかであるかに応じて、録音可否判定部１４は、通話を録音するかどうかを決定する。具体的には、電話機１がモードＢまたはＣ（図５参照）である場合、録音可否判定部１４は、通話を録音しないことを決定する（Ｓ４でＮｏ）。一方、電話機１がモードＡ（図５参照）である場合、録音可否判定部１４は、メモリの残容量に従って通話を録音するかどうかを決定する（Ｓ４）。録音可否判定部１４が通話を録音することを決定した場合（Ｓ４でＹｅｓ）、警告メッセージ再生部１６は、所定の警告メッセージを再生する（Ｓ７）。例えば、警告メッセージ再生部１６は、「通話を録音します。」などの警告メッセージを、回線接続部８に出力する。回線接続部８は、警告メッセージのデータを、公衆電話回線網を通じて、発信者へと送信する。その後、録音部１５は、通話の録音を開始する（Ｓ７）（図４のＳ１０４）。録音部１５は、録音データを生成して、生成した録音データを記憶部５のメモリに保存する。
【００２２】
録音可否判定部１４が通話を録音しないことを決定した場合（Ｓ４でＮｏ）、警告メッセージ再生部１６は、記憶部５に保存されているモード設定情報およびテーブル（図５）を参照して、警告メッセージを再生するかどうかを決定する（Ｓ６）。具体的には、電話機１が警告メッセージを再生しないモード（図５のＣ）に設定されている場合、警告メッセージ再生部１６は、警告メッセージを再生しないことを決定する（Ｓ６でＮｏ）。その後、電話機制御部１０の動作は終了する。一方、電話機１が警告メッセージを再生するモード（図５のＡまたはＢ）に設定されている場合（Ｓ６でＹｅｓ）、警告メッセージ再生部１６は前述の警告メッセージを再生する（Ｓ５）。
【００２３】
電話機１がモードＢ（図５参照）である場合、もしくは、電話機１がモードＡ（図５参照）で録音可否判定部１４が通話を録音しないことを決定した場合（Ｓ４でＮｏ）、通話を録音しないにもかかわらず、「通話を録音します。」などの警告メッセージを再生するので、この警告メッセージは見せかけである。本実施形態では、電話機１の出力部２０（スピーカ６またはイヤピース）からも、警告メッセージが出力される（図１参照）から、電話機１のそばにいるユーザにも、見せかけの警告メッセージが聞こえている。ユーザは、この見せかけの警告メッセージを信じる可能性がある。
【００２４】
そこで、この場合のように、つまり、録音可否判定部１４が通話を録音しないことを決定し（Ｓ４でＮｏ）、かつ、警告メッセージ再生部１６が警告メッセージを再生することを決定した場合（Ｓ６でＹｅｓ）、録音無メッセージ出力部１７は、警告メッセージが見せかけであることをユーザに通知するために、「実際には録音しません。」などの録音無メッセージを、電話機１の出力部２０に出力する（Ｓ８）。録音無メッセージ出力部１７は、通話開始前および通話終了後のいずれのタイミングで録音無メッセージを出力してもよい。
【００２５】
具体的には、録音無メッセージ出力部１７は、録音無メッセージを、スピーカ６から音声で出力してもよいし、あるいは、図４のＳ１０３−１に示すように、ディスプレイ７に表示してもよい。または、録音無メッセージ出力部１７は、スピーカ６およびディスプレイ７の両方から、録音無メッセージを出力してもよい。なお、録音無メッセージは、電話回線には送出されない。また、録音無メッセージがスピーカ６から音声で出力される場合、電話機１のマイク（図示せず）の音量は一時的にミュートに調整される。したがって、スピーカ６で出力された音声がマイク（図示せず）を通して、発信者に録音無メッセージが聞こえることはない。
【００２６】
なお、本実施形態では、電話機１がモードＡ（図５参照）であり、録音可否判定部１４が通話を録音しないことを決定した場合（Ｓ４でＮｏ）でも、警告メッセージを再生する例を挙げたが、電話機１がモードＡの場合、警告メッセージ再生部１６は、警告メッセージを再生しなくてもかまわない。
【００２７】
以上で、電話機制御部１０の動作は終了する。なお、ユーザが応答操作を行ったとき、電話機制御部１０は、前述したＳ１〜Ｓ８のどの処理を実行中であっても、自動応答の動作を終了する。
【００２８】
（テーブルの例およびモードＡ〜Ｃの説明）
図５は、記憶部５に記憶されるテーブルのデータ構造の一例を示す。図５に示すテーブルでは、電話機１のモードＡ〜Ｃの各々に対して、(i)録音無メッセージ出力部１７が録音無メッセージを出力する／しないという情報、(ii)警告メッセージ再生部１６が警告メッセージを再生する／しないという情報、および(iii)録音部１５が通話を録音する／しないという情報が対応付けられている。
【００２９】
図５に示すテーブルを見ればわかるように、電話機１がモードＡである場合、つまり、録音部１５が通常通話を録音し、かつ、警告メッセージ再生部１６が警告メッセージを再生する場合、録音無メッセージ出力部１７は録音無メッセージを出力しない。また、電話機１がモードＣである場合、つまり、録音部１５が通話を録音せず、かつ、警告メッセージ再生部１６が警告メッセージを再生しない場合にも、録音無メッセージ出力部１７は録音無メッセージを出力しない。このように、録音部１５が通話を録音しない場合には、警告メッセージ再生部１６が警告メッセージを再生する場合としない場合とが含まれる。一方、電話機１がモードＢである場合、つまり、録音部１５が通話を録音せず、かつ、警告メッセージ再生部１６が警告メッセージを再生する場合、録音無メッセージ出力部１７は録音無メッセージを出力する。なお、図示しないが、電話機１は、録音部１５が通話を録音し、かつ、警告メッセージ再生部１６が警告メッセージを再生しない第４のモードをさらに有していてもよい。この第４のモードでは、録音無メッセージ出力部１７は録音無メッセージを出力しない。
【００３０】
電話機１がモードＢまたはＣである場合、録音部１５は通話を録音しない。したがって、ユーザは、電話機１をモードＢまたはＣに設定することによって、重要ではない通話、例えば、安全な電話番号との通話、および、私的な通話の録音データが、記憶部５のメモリに保存されることを防止することができる。
【００３１】
（変形例）
記憶部５のメモリが録音データですぐにいっぱいになることを防止するために、重要な録音データのみを記憶部５に保存する構成を、本実施形態の構成に組み合わせてもよい。
【００３２】
一変形例では、録音部１５は、未登録番号との通話の録音データのみを記憶部５に保存する。あるいは、録音部１５は、記憶部５に記憶されている録音データを、記憶部５に保存した時点から一定期間後、または、メモリの残容量が閾値以下となった時点で消去してもよい。録音部１５は、保存されている全録音データに対し、優先順位を設定して、優先順位の低い録音データから順番に消去してもよい。本変形例では、録音部１５は、例えば、再生時間の長い録音データほど、高い優先順位を設定してもよい。この場合、録音部１５は、記憶部５に保存されている全録音データ中で、再生時間の最も短い録音データを最初に消去する。
【００３３】
他の変形例では、電話機１の記憶部５のメモリがいっぱいになる前に、録音部１５は、記憶部５以外の記憶媒体に録音データを転送する。本変形例において、録音部１５は、録音データを生成すると、記憶部５以外の記録媒体を備えた装置へ、録音データを送信する。例えば、録音部１５は、一時的に、録音データを記憶部５に保存しておき、電話機１と装置とが通信を確立したときに、録音データを装置へ転送してもよい。本変形例において、録音部１５は、電話機との間でデータ通信を確立することが可能な装置ならば、どのような装置に録音データを転送してもよい。例えば、電話機１の子機が、記憶部５とは独立した記憶部を備えている場合、録音部１５は、子機の記憶部のメモリに録音データを保存してもよい。あるいは、録音部１５は、電話機１とリンクしている携帯電話に録音データを保存してもよい。あるいは、録音部１５は、公衆電話回線網上のサーバに、録音データを送信してもよい。あるいは、録音部１５は、録音データをテキストデータに変換して、該テキストデータを含むメールを、所定のメールサーバへ送信してもよい。
【００３４】
ユーザが、録音部１５で生成した録音データの転送先を選択することが可能であってもよい。あるいは、録音部１５は、記憶部５のメモリがいっぱいになりそうになったとき、ユーザに対し、録音データを所定の装置へ転送することの許可を求めてもよい。
【００３５】
録音部１５は、録音データの保存場所を、電話機１のディスプレイ７に表示したり、スピーカ６から音声で出力することによって、ユーザに案内することが好ましい。本変形例の構成によれば、記憶部５以外の記憶媒体にも録音データを保存することができるので、より多くの録音データを保存することができる。また、記憶部５のメモリの容量を小さくすることができる。
【００３６】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００３７】
前記実施形態の構成では、電話機１がモードＡ〜Ｃのいずれであっても、電話機１から警告メッセージが出力される。本実施形態では、電話機１がモードＢである場合、すなわち、警告メッセージを再生するが実際には録音していない場合のみ、警告メッセージ再生部１６は、イヤピースおよびスピーカ６の音量をミュートに調整する。あるいは、電話機１がモードＢである場合、警告メッセージ再生部１６は、電話機１から警告メッセージが出力されないようにする。なお、電話機１が録音する場合には、本実施形態でも、ユーザに警告メッセージが聞こえるように、警告メッセージ再生部１６は、イヤピースおよびスピーカ６の音量をミュートに調整しないことが望ましい。
【００３８】
本実施形態では、電話機１がモードＢである場合、ユーザには見せかけの警告メッセージが聞こえないので、通話が録音されているとユーザが誤解することを防止することができる。しかしながら、この構成では、警告メッセージが発信者に送信されていないのではないかと考えたユーザを不安にさせる可能性がある。そこで、録音無メッセージ出力部１７は、見せかけの警告メッセージを発信者に送信するとともに、ディスプレイ７への表示（例えば、パイロットランプの点滅）等によって、見せかけの警告メッセージを発信者へ送信していることをユーザに提示してもよい。
【００３９】
〔実施形態３〕
（ソフトウェアによる実現例）
前記実施形態１および２で説明した電話機１の電話機制御部１０は、集積回路（ＩＣチップ）等に形成された論理回路（ハードウェア）によって実現してもよいし、ＣＰＵ（Central Processing Unit）を用いてソフトウェアによって実現してもよい。
【００４０】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００４１】
〔まとめ〕
本発明の態様１に係る電話機（１）は、通話を録音するための記憶部（５）と、通話を録音する旨の警告メッセージを通話相手に通知できる警告部（警告メッセージ再生部１６）とを備えた電話機であって、上記記憶部に通話を録音せず、かつ上記警告部が上記警告メッセージを通話相手に通知する場合、通話は録音されないことを、通話相手には通知せずに提示する情報提示部（録音無メッセージ出力部１７）をさらに備えている。
【００４２】
上記の構成によれば、通話を録音せずに、通話を録音する旨の警告メッセージを再生する場合、発信者には聞こえないように、ユーザのみに通話を録音していないことを提示することができる。したがって、警告メッセージが見せかけであっても、通話が録音されるかどうかをユーザが正しく認識できる。
【００４３】
本発明の態様２に係る電話機は、上記態様１において、上記記憶部に通話を録音せず、かつ上記警告部が上記警告メッセージを通話相手に通知する場合、上記警告部は、上記警告メッセージを通話相手に通知している間、上記電話機から出力される上記警告メッセージの音量をミュートに調整してもよい。
【００４４】
上記の構成によれば、ユーザに警告メッセージが聞こえないので、通話は録音されているという誤解を、ユーザがすることがない。
【００４５】
本発明の態様３に係る電話機は、上記態様１または２において、上記警告部は、上記電話機から出力される音量をミュートに調整するとともに、上記警告メッセージを再生していることを、通話相手には通知せずに提示してもよい。
【００４６】
上記の構成によれば、ユーザには警告メッセージが全くまたはほとんど聞こえないが、通話相手には警告メッセージが聞こえていることを、ユーザが知ることができる。
【００４７】
本発明の態様４に係る電話機は、上記態様１から３のいずれかにおいて、上記警告部は、入力操作によって変更できる設定情報に基づいて、上記警告メッセージを再生するかどうかを決定してもよい。
【００４８】
上記の構成によれば、通話を録音するかどうかをユーザが設定することができる。
【００４９】
本発明の態様５に係る電話機（１）の制御方法は、通話を録音するための記憶部（５）と、通話を録音する旨の警告メッセージを通話相手に通知できる警告部（警告メッセージ再生部１６）とを備えた電話機の制御方法であって、上記記憶部に通話を録音せず、かつ上記警告部が上記警告メッセージを通話相手に通知する場合、通話は録音されないことを、通話相手には通知せずに提示する。上記の構成によれば、上記態様１に係る電話機と同様の効果を奏する。
【００５０】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【００５１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５２】
１  電話機
５  記憶部
１６  警告メッセージ再生部（警告部）
１７  録音無メッセージ出力部（情報提示部）
【図１】
2018125739.tif 000003
【図２】
2018125739.tif 000004
【図３】
2018125739.tif 000005
【図４】
2018125739.tif 000006
【図５】
2018125739.tif 000007